(57)【要約】      （修正有）【課題】水電解セルにより生成された酸素・水素ガス及び混合ガスの吸入システムを提供する。【解決手段】水電解セル５から酸素・水素ガスを発生させる為、給水タンク１、水フィルター３、水変換ユニット４、湿式水素タンク６を配設する。酸素ガスは、水変換ユニット４の上部の吐出口から酸素ガス吐出ゾーン７のカニューラ接続分岐管（０１・０２・０３）７１に吐出される。水素ガスは、湿式水素タンク６の上部の吐出口から水素ガス吐出ゾーン８のカニューラ接続分岐管（Ｈ１・Ｈ２・Ｈ３）８１に吐出される。混合ガスの吸入は、酸素・水素ガス吐出ゾーン７、８のカニューラ接続分岐管７１、８１にカニューラの二股チューブを使用して吸入する。【選択図】図１
0003227900.tif 000002
【実用新案登録請求の範囲】
【請求項１】
酸素・水素ガス及び混合ガス吸入システムであって、給水タンク、水フィルター、水変換ユニット、水電解セル、湿式水素タンクを配置し、前記給水タンク上部から一定の水位を保持する為に純水を注水し底部の第１流路及び第２流路より、前記水フィルター及び前記湿式水素タンクに流入させ、前記水フィルターに接続した第３流路より前記水変換ユニットに流入し、底部の第４流路より前記水電解セルプラス極側に水位差により流入され、上部の吐出口に接続された第５流路より生成された酸素ガスが前記水変換ユニット内の上部空間に水と共に流出し、吐出口より酸素ガス吐出ゾーンの中に配設されたカニューラ接続分岐管の接続部（０１・０２・０３）にカニューラを接続することにより酸素ガスを吸入し、同時に前記水電解セルマイナス極側に水素ガスが生成され、マイナス極側に接続された第６流路より前記湿式水素タンク底部に少量の水と共に流出し、水素ガスが泡状になり水中を上昇し上部空間に流出し、吐出口より水素ガス吐出ゾーンの中に配設されたカニューラ接続分岐管の接続部（Ｈ１・Ｈ２・Ｈ３）にカニューラを接続することにより水素ガスを吸入し、混合ガスの吸入は、酸素・水素ガス吐出ゾーンの各々のカニューラ接続分岐管に、二股にチューブを取り付けたカニューラを接続し吸入することを特徴とする酸素・水素ガス及び混合ガス吸入システム
【考案の詳細な説明】
【技術分野】
【０００１】  本考案は、酸素・水素ガスを生成する水電解セルを備え生成されたガスの吸入システムに関するものである。
【背景技術】
【０００２】  従来の水素又は混合ガスの吸入器は、主に個人・家庭用を対象として市販され、一台の吸入器で１〜３人対象に吸入するものが無く、吸入ガスも水素又は混合ガスを吸入するものに限られている。
【考案の概要】
【考案が解決しようとする課題】
【０００３】  上述した従来の吸入器では使い勝手の面で難があった。例えば２人以上での家庭では、２〜３人同時に吸入することが出来ない為、忙しい日常の中で効率が悪い面がある。【０００４】  更に、吸入するガスは、水素又は混合ガスに限定され、吸入する対象者は健康的な人以外に体調の悪い方又は高齢者が多い為、体調に合った多様な吸入の出来る吸入器が求められている。
【課題を解決するための手段】
【０００５】  本考案は、酸素・水素ガス及び混合ガス吸入システムであって給水タンク、水フィルター、水変換ユニット、水電解セル、湿式水素タンクを配設する。【０００６】  給水タンク上部から一定の水位を保持するために純水を注入し、底部の第１流路及び第２流路より水フィルター及び湿式水素タンクに流入させ、水フィルターに接続した第３流路より、水変換ユニットに流入し底部の第４流路より水電解セルプラス極側に水位差により流入され、上部の吐出口に接続された第５流路より生成された酸素ガスが水変換ユニット内の上部空間に水と共に流出する。【０００７】  吐出口より酸素ガス吐出ゾーンの中に配設されたカニューラ接続分岐管の接続部（３カ所）にカニューラを接続することにより酸素ガスを吸入する。【０００８】  同時に水電解セルマイナス極側に水素ガスが生成されマイナス極側に接続された第６流路により湿式水素タンク底部に少量の水と共に流出し、水素ガスが泡状になり水中を上昇し上部空間に流出する。【０００９】  吐出口より水素ガス吐出ゾーンの中に配設された、カニューラ接続分岐管の接続部（３カ所）にカニューラを接続することにより水素ガスを吸入する。【００１０】  混合ガスの吸入は、酸素・水素ガス吐出ゾーンの各々のカニューラ接続分岐管にカニューラの二股にしたチューブを接続して吸入する。
【考案の効果】
【００１１】  上述の様に、本考案の酸素・水素ガス及び混合ガス吸入システムは、２人又は３人でも同時に吸入することが可能になり、使い勝手が良くなると共に、酸素・水素ガス及び混合ガスを体調に合った多様な吸入のできる吸入器が得られる。
【図面の簡単な説明】
【００１２】
【図１】本考案の酸素・水素ガス及び混合ガス吸入システムのフロー図である。
【図２】本考案の酸素・水素ガス吐出ゾーン及びカニューラ接続分岐管（０１・０２・０３、Ｈ１・Ｈ２・Ｈ３）の部分拡大図である。
【図３】本考案の酸素ガス・水素ガス及び混合ガスの吸入人数と吸入システムである。
【考案を実施するための形態】
【００１３】  以下、本考案の実施形態を図１〜図３に基づいて説明する。
【００１４】  図１に於いては、１は給水タンク、１１は第１流路、１２は第２流路で１の底部に接続されている。２の水位は、一定の水位を保持する目安として、１以外に４の水変換ユニット及び６の湿式水素タンクに図示している。
【００１５】  ３の水フィルター（イオン交換樹脂使用）は水質を保つため配設し、３１は第３流路で４の水変換ユニット（上部に酸素ガス吐出口）に流入させ底部の４１の第４流路より５の水電解セルプラス極側に流入し上部の吐出口に接続された５１の第５流路より、生成された酸素ガスが７の酸素ガス吐出ゾーンの中に配設された７１のカニューラ接続分岐管（０１・０２・０３）に吐出される為、酸素ガス吸入の際はカニューラを接続する。
【００１６】  ６の湿式水素タンク（上部に水素ガス吐出口）には、５のマイナス極側より生成された水素ガスが５２の第６流路より６の底部に接続され、水素ガスが泡状になり水素ガスが上昇し上部吐出口より８の水素ガス吐出ゾーンの中に配設された８１のカニューラ接続分岐管（Ｈ１・Ｈ２・Ｈ３）に吐出される為、水素ガスを吸入の際はカニューラを接続する。
【００１７】  混合ガスの吸入は、７・８に配設された７１・８１の各々吐出口（０１・０２・０３及びＨ１・Ｈ２・Ｈ３）にカニューラの二股にしたチューブを適宜に接続して吸入する。
【００１８】  図２は、７及び８の部分拡大図で酸素ガス（Ｏ２）水素ガス（Ｈ２）の７１及び８１の酸素ガス及び水素ガスの流路の吐出口の酸素側は０１・０２・０３の表示をし水素側はＨ１・Ｈ２・Ｈ３とした図である。
【００１９】  図３は、図２で示した０１・０２・０３及びＨ１・Ｈ２・Ｈ３にカニューラを接続する際、吸入人数により、それぞれの吐出口の使用方法を表１〜表３として示したものである。
【符号の説明】
【００２０】１    給水タンク
１１  第１流路
１２  第２流路
２    水位（上部は空間）
３    水フィルター（イオン交換樹脂使用）
３１  第３流路
４    水交換ユニット（上部空間に酸素ガス吐出口）
４１  第４流路
５    水電解セル
５１  第５流路
５２  第６流路
６    湿式水素タンク（上部に水素ガス吐出口）
７    酸素ガス吐出ゾーン
７１  カニューラ接続分岐管（０１・０２・０３）
８    水素ガス吐出ゾーン
８１  カニューラ接続分岐管（Ｈ１・Ｈ２・Ｈ３）
【図１】
0003227900.tif 000003
【図２】
0003227900.tif 000004
【図３】
0003227900.tif 000005